(57)【特許請求の範囲】
【請求項１】
長尺の木材と、該木材の長手方向に挿通し、両端側を該木材の端面から突出させた棒鋼芯材とからパネル組成材を構成し、該パネル組成材の棒鋼芯材と交差する状態で該複数本のパネル組成材に連結棒鋼を一体に挿通することにより土留めパネルを構成し、該土留めパネルは鋼材により構成して地盤に設置するパネル支持体に、前記棒鋼芯材の両端側を取着することにより立設するようにしてなる鉄筋組木製土留め体。
【請求項２】
前記パネル支持体は、前記土留めパネルを支持する支持材の傾斜角度を可変に構成してあることを特徴とする請求項１記載の鉄筋組み木製土留め体。
【請求項３】
４本の前記パネル支持体を互いに離間して地盤に立設し、対をなす該パネル支持体間に前記パネル支持体の棒鋼芯材を支持させることにより、４枚の土留めパネルで略四角枠状に構成してあることを特徴とする請求項１記載の鉄筋組み木製土留め体。
【請求項４】
前記土留めパネルは、内側を網状シートで覆ってあることを特徴とする請求項１記載の鉄筋組み木製土留め体。
【請求項５】
前記土留めパネルは、列設するパネル組成材間に草木等の植生基材を挟装してあることを特徴とする請求項１記載の鉄筋組み木製土留め体。
【発明の詳細な説明】
【０００１】
【発明の属する技術分野】
本発明は、傾斜面に設置する土留め体に関し、草木が完全に定着するまでの長期間にわたって土砂及び草木の流失を防止することができる鉄筋組み木製土留め体に関する。
【０００２】
【従来の技術】
従来、傾斜面の土留めに用いている木製土留め体を示す。図１６に示す木製土留め体５１は、複数本の間伐材等の木材５２、５２、・・の長手方向に離間して径方向に一対のロッド挿通穴を穿設し、該各ロッド挿通穴に棒鋼５３を一体に挿通して略パネル状に構成したものである。図１７に示す土留め体５６は、木材５７の長手方向両端側に径方向の貫通穴を形成し、貫通穴を同一軸芯状にして複数本の木材５７の両端側を段違いに重ね、これら木材５７、５７、・・に棒鋼５８を一体に挿通することにより枠体状に構成したものである。
【０００３】
上述したいずれの木製土留め体５１（５６）も、複数本の木材５２（５７）、５２（５７）、・・・を棒鋼５３（５８）で連結した構成であるため、木材５２（５７）が腐朽するのに伴って強度性がなくなり、棒鋼５３（５８）が分離して土留め体５１（５６）が崩壊してしまうという構成上の欠点がある。そして、木材５２（５７）は約４〜７年で腐朽が進行することから、草木が確実に定着する前に土留め体５１、５６が崩壊してしまうことになる。また、土留め体５１（５６）は腐朽により経年劣化して強度性が失われるという欠点があることから、設置場所も勾配の緩やかな場所に限定されるし、崩壊しても危険性がない場所に限られるという欠点がある。更に、経年劣化により崩壊するため、耐久性を維持するための維持管理費か嵩むという欠点がある。
【０００４】
【発明が解決しようとする課題】
本発明は上述した従来技術の諸欠点や問題点に鑑みなされたもので、構成木材が腐朽しても草木が確実に定着するまでの長期間にわたって構造を保持することにより、土砂及び草木の流失を確実に防止できるし、構造が強固であるから勾配の急な傾斜面や高さのある傾斜面にも設置することができ、また維持管理費を節減できるる鉄筋組み木製土留め体を提供することを目的とする。
【０００５】
【課題を解決するための手段】
上述した課題を解決するために構成された本発明の手段は、長尺の木材と、該木材の長手方向に挿通し、両端側を該木材の端面から突出させた棒鋼芯材とからパネル組成材を構成し、該パネル組成材の棒鋼芯材と交差する状態で該複数本のパネル組成材に連結棒鋼を一体に挿通することにより土留めパネルを構成し、該土留めパネルは鋼材により構成して地盤に設置するパネル支持体に、前記棒鋼芯材の両端側を取着することにより立設するようにしたものからなる。
【０００６】
そして、前記パネル支持体は、前記土留めパネルを支持する支持材の傾斜角度を可変に構成するとよい。
【０００７】
また、４本の前記パネル支持体を互いに離間して地盤に立設し、対をなす該パネル支持体間に前記パネル支持体の棒鋼芯材を支持させることにより、４枚の土留めパネルで略四角枠状の鉄筋組み木製土留め体に構成してもよい。
【０００８】
更に、前記土留めパネルは、内側を網状シートで覆った構成にするとよい。
【０００９】
また、前記土留めパネルは、列設するパネル組成材間に草木等の植生基材を挟装した構成にするとよい。
【００１０】
【発明の実施の形態】
以下、本発明の実施の形態を図面に基づき詳述する。図１乃至図１０は第１の実施の形態を示す。図において、Ａは鉄筋組木製土留め体、１は該鉄筋組木製土留め体Ａを構成する土留めパネルである。２、２、・・は該土留めパネル１を構成する複数本、実施の形態では４本のパネル組成材を示す。３は該各パネル組成材２を構成する間伐材等の長尺の木材で、該木材３には後述する棒鋼芯材４が遊挿可能な穴径からなる横貫通穴３Ａが略中心に位置して長手方向に穿設してあり、また長手方向に離間して径方向に縦貫通穴３Ｂ、３Ｂが穿設してある。４は前記横貫通穴３Ａに挿通し、雄ねじを刻設した両端側４Ａ、４Ａを木材３の端面３Ｃ、３Ｃから突出させた棒鋼芯材で、該棒鋼芯材４と木材３とからパネル組成材２は構成してある。
【００１１】
５、５は上記の構成からなる４本のパネル組成材２、２、・・をパネル状に連結するための２本の連結棒鋼で、該連結棒鋼５、５は上端側を略く字状に屈曲して係止部５Ａを形成した形状からなり、各木材３の縦貫通穴３Ｂ、３Ｂに一体に挿通するすることにより、４本のパネル組成材２、２、・・は１枚の土留めパネル１を構成している。ここで、図に示すように、各連結棒鋼５は棒鋼芯材４に対して後側で交差させることにより格子状に構成してあり、後に詳述するように連結棒鋼５に加わる内圧は棒鋼芯材４で受承するようにしてある。
【００１２】
６、６、６は隣接するパネル組成材２、２の間に挟装した植生基材袋で、該各植生基材袋６は種子、肥料、保水剤等を腐食性素材からなる袋体に充填して扁平状に形成したものからなっている。また、７は土留めパネル１の内側を全面的に覆った網状シートを示す。該網状シート７は土留めパネル１から土砂が流出するのを防止すると共に、草木の定着性を高めるためのもので、腐食性の素材を編成したものからなっている。
【００１３】
他方、８、８は前記土留めパネル１を傾斜面Ｂに立設するための一対のパネル支持体を示す。９は該各パネル支持体８を構成し、地盤に設置する台材で、該台材９にはＵ型鋼材を用いている。１０は土留めパネル１を縦向きの状態に支持すべく下端側を台材９の先端側に連結ピン１１により回動可能に連結した可動支持材を示す。該可動支持材１０には内側片１０Ａ、外側片１０Ｂ及び該内側片１０Ａと外側片１０Ｂを連結する連結片１０Ｃからなる略Ｕ字鋼材を用いている。そして、内側片１０Ａには４本の棒鋼芯材４の両端側４Ａを挿通する支持穴（但し、図示せず。）が離間して穿設してあり、外側片１０Ｂの中間部位には可動支持材１０の傾斜角度を３段階に変えるための係止穴１０Ｄ、１０Ｅ、１０Ｆ（但し、１０Ｅは図示せず。）が穿設した構成からなっている。
【００１４】
１２は前記可動支持材１０の傾斜角度を設定するための調節材を示す。該調節材１２は帯状鋼板からなり、下端側は台材９の長手方向中間に支持ボルト１３により連結され、上端側は可動支持材１０の係止穴１０Ｄ、１０Ｅ、１０Ｆに連結ボルト１４を介して選択的に連結することにより、可動支持材１０の傾斜角度を設置場所に応じて３段階に設定できるようにしてある。
【００１５】
また、１５は一対の台材９、９の後端側に設けた設置用重しで、該設置用重し１５はパネル組成材２と同様に木材１６と棒鋼連結材１７とから構成してあり、棒鋼連結材１７の両端側を台材９、９に挿着することにより固定してある。
【００１６】
上述の構成からなる本実施の形態に係る鉄筋組み木製土留め体Ａは傾斜面Ｂを切削して形成した複数の各段部Ｃ、Ｃに設置し、後面側から土砂Ｄを投入して地盤と一体化する（図７参照）。この状態で４年以上を経過すると図８に示すようにパネル組成材２の木材３が腐朽し、棒鋼芯材４及び棒鋼連結材５が部分的に露出した状態になる。しかし、この４年程度の期間では植生基材袋６による草木の成育も地盤に十分に定着した状態には至っていない。そして、従来技術の土留め体５１、５６は、木材５２（５７）が腐朽したこの段階で構造が分解して土留め機能を果たさなくなっている。
【００１７】
これに対し、本実施の形態の土留め体Ａは棒鋼芯材４、４、・・がパネル支持体８、８の可動支持材１０間に架設された鉄筋組みの構造体をなしているから、木材３の腐朽が進行しても棒鋼芯材４は脱落することがないし、連結棒鋼５、５は投入した土砂Ｄの土圧により棒鋼芯材４、４、・・に押し付けられて格子状をなしていることにより土留め体Ａは土留め機能を発揮することができる。しかも、図９に示すように、設置から約１０年を経過して草木層Ｅも地盤に完全に定着できる期間まで鉄筋組みの構造体は形態を維持していることにより、土砂及び草木層Ｅが流失することがない。
【００１８】
なお、図１０に示すように、パネル組成材２’を構成し、木材３に挿通する棒鋼芯材４’に径方向の貫通穴４’Ａを穿設し、連結棒鋼５を挿通する構成にしてもよい。このように構成することにより、棒鋼芯材４’と連結棒鋼５が連結した格子を構成するので、強度性は飛躍的に高めることができる。なお、棒鋼芯材４’は中空体に限られず、中実体であってもよい。
【００１９】
また、本実施の形態ではパネル組成材２を構成する木材に丸太を用いたが、四角材や六角材等の角材を用いてもよい。
【００２０】
更に、本実施の形態では傾斜面Ｂに形成した段部Ｃ、Ｃに鉄筋組み木製土留め体Ａ、Ａ、・・を設置する例を示したが、鉄筋組み木製土留め体Ａの上に鉄筋組み木製土留め体Ａを全体として傾斜面を形成するように積重して設置してもよい。また、鉄筋組み木製土留め体Ａを横方向に列設し、隣接するパネル支持体８、８を連結板等で連結して一体化した状態で設置してもよい。
【００２１】
次に、図１１乃至図１５は第２の実施の形態に係る鉄筋組み木製土留め体Ｆを示す。図において、２１、２１は該鉄筋組み木製土留め体Ｆを構成する前、後面土留めパネルを示す。２２は該前、後面土留めパネル２１、２１を構成するパネル組成材で、該パネル組成材２２は間伐材からなり、長手方向に沿って横貫通穴２３Ａを穿設し、長手方向に離間して縦方向に縦貫通穴２３Ｂ、２３Ｂを穿設した角材２３と、該角材２３の横貫通穴２３Ａに挿通され、両端側２４Ａに雄ねじが刻設してある棒鋼芯材２４とから構成してある。そして、前記複数本のパネル組成材２２、２２、・・は縦方向に重ねて各縦貫通穴２３Ｂに連結棒鋼２５を一体に挿通することによりパネル状に構成してある。
【００２２】
また、２６、２６は前記前、後面土留めパネル２１、２１より横幅を幅狭に設定した左、右側面土留めパネルを示す。２７は該各側面土留めパネル２６を構成するパネル組成材で、該パネル組成材２７は長手方向に横貫通穴２８Ａを穿設し、長手方向に離間して縦方向に縦貫通穴２８Ｂ、２８Ｂを穿設し、更に長手方向両端側に開口２８Ｃ、２８Ｃを穿設してある角材２８と、両端側２９Ａに雄ねじが刻設され、両端側２９Ａを突出した状態で木材２８の横貫通穴２８Ａに挿通した棒鋼芯材２９とから構成してある。そして、前記複数本のパネル組成材２６、２６、・・は縦方向に重ねて縦貫通穴２８Ｂ、２８Ｂに連結棒鋼３０、３０を一体に挿通することによりパネル状に構成してある。
【００２３】
３１、３１、・・はＬ型鋼材からなる４本のパネル支持体を示す。該各パネル支持体３１は一側帯状板３１Ａと他側帯状板３１Ｂを有し、一側帯状板３１Ａ及び他側帯状板３１Ｂに各棒鋼芯材２４及び２９が挿通される複数の長孔３１Ｃを穿設した構成からなっている（図１３参照）。
【００２４】
かくして、本実施の形態による鉄筋組み木製土留め体Ｆは、前、後面土留めパネル２１、２１及び左、右の側面土留めパネル２６、２６の各棒鋼芯材２４、２９をパネル支持体３１、３１、・・に挿通してナット３２、３２、・・を締着することにより、上下が開放した四角枠状に構成してある。そして、鉄筋組み木製土留め体Ｆは、傾斜面Ｂの段部Ｃに配置して内部に土砂Ｄを投入することにより設置し、土砂Ｄの上面に草木を植設するとよい。このような構成からなる鉄筋組み木製土留め体Ｆは、第１の実施の形態と同様に傾斜面Ｂの段部Ｃ、Ｃに設置してもよいし、階段状或は縦方向に積重して設置してもよい。
【００２５】
上記のように設置した鉄筋組み木製土留め体Ｆは第１の実施の形態と同様にパネル組成材２２、２６の角材２３、２８が図１４に示すように次第に腐朽し、遂には完全に消失しても図１５（なお、図の煩雑を避けるために同図においてナット３２は省略してある。）に示すように各棒鋼芯材２４、２９は金属製のパネル支持体３１、３１、・・によって支持されて四角枠状の構造を維持しており、また草木は完全に定着した状態になっているから土砂や草木の流失を確実に防止できる。
【００２６】
【発明の効果】
本発明は以上詳述した如く構成したから、下記の諸効果を奏する。
（１）木製土留め体を鉄筋組みの構造にしたから、構成木材が腐朽しても草木が確実に定着するまでの長期間形態を保持することができるので、土砂及び草木の流失を確実に防止できる。
（２）木製土留め体は鉄筋組みの構造からなり、構造が強固であるから傾斜が厳しい場所及び高さのある傾斜面にも設置することができる。
（３）鉄筋組み木製土留め体は木材が腐朽し始めても強度性を維持しているから、保守管理の面倒がなく維持費を節減することができる。
【図面の簡単な説明】
【図１】図１乃至図１０は本発明の第１の実施の形態に係り、図１は鉄筋組み木製土留め体の外観斜視図である。
【図２】図１中のＩＩ−ＩＩ矢示方向断面図である。
【図３】鉄筋組み木製土留め体を構成する土留めパネルの一部を破断にして示す正面図である。
【図４】パネル組成材の部分破断図である。
【図５】図２中のＶ−Ｖ矢示方向断面図である。
【図６】鉄筋組み木製土留め体を傾斜面の段部に設置した状態を示す説明図である。
【図７】図７乃至図９は鉄筋組み木製土留め体の腐朽変化の過程を示し、図７は鉄筋組み木製土留め体の設置初期の状態の斜視図である。
【図８】約５年経過後の鉄筋組み木製土留め体の腐朽状態の説明図である。
【図９】約１０年経過後の鉄筋組み木製土留め体の腐朽状態の説明図である。
【図１０】変形例に係るパネル組成材の部分破断図である。
【図１１】図１１乃至図１５は第２の実施の形態に係り、図１１は鉄筋組み木製土留め体の外観斜視図である。
【図１２】パネル支持体と土留めパネルの連結構造を一部を破断にして示す部分平面図である。
【図１３】鉄筋組みの構成を示す要部斜視図である。
【図１４】約４年経過後の鉄筋組み木製土留め体の腐朽状態の説明図である。
【図１５】約１０年経過後の鉄筋組み木製土留め体の腐朽状態の説明図である。
【図１６】図１６及び図１７は従来技術に係り、図１６はパネル状に構成した土留め体の部分正面図である。
【図１７】枠体状に構成した土留め体の部分正面図である。
【符号の説明】
１、２１、２６    土留めパネル
２、２２、２７    パネル組成材
４、２４、２９    棒鋼芯材
５、２５、３０    連結棒鋼
８、３１          パネル支持体
【図１】
0003673769.tif 000002
【図２】
0003673769.tif 000003
【図３】
0003673769.tif 000004
【図４】
0003673769.tif 000005
【図５】
0003673769.tif 000006
【図６】
0003673769.tif 000007
【図７】
0003673769.tif 000008
【図８】
0003673769.tif 000009
【図９】
0003673769.tif 000010
【図１０】
0003673769.tif 000011
【図１１】
0003673769.tif 000012
【図１２】
0003673769.tif 000013
【図１３】
0003673769.tif 000014
【図１４】
0003673769.tif 000015
【図１５】
0003673769.tif 000016
【図１６】
0003673769.tif 000017
【図１７】
0003673769.tif 000018